(57)【要約】【課題】  構造が簡単で低コストに製造することができ、頭のサイズが多少異なってもそれに対応して容易に装着することができ、頭のみならずうなじの全幅を下端まで覆ってその日焼けを防止することができる日焼け防止具を提供する。【解決手段】  日焼け防止具１は、人の額から頭の左右に回して頭の後で両端部を結合することができるよう頭の外周長さより長く形成された帯状のハチマキ部２と、額から頭の上を覆ってさらに頭の後に垂らしたときにうなじの全幅を下端までを覆うことができる長さに一定幅で形成されて、その一端部がハチマキ部２の長さ方向中間部に結合された長方形状の覆い部３とにより、Ｔ字状に形成されている。【選択図】        図１
2010106404.tif 000002
【特許請求の範囲】
【請求項１】
人の額から頭の左右に回して頭の後で両端部を結合することができるよう頭の外周長さより長く形成されたハチマキ部（２）と、額から頭の上を覆ってさらに頭の後に垂らしたときにうなじの全幅を下端までを覆うことができる長さに一定幅で形成されて、その一端部がハチマキ部の長さ方向中間部に結合された覆い部（３）とにより、Ｔ字状に形成されたことを特徴とする日焼け防止具。
【請求項２】
ハチマキ部（２）の両端部を、結び合うことにより結合位置調節可能に結合するようにした請求項１記載の日焼け防止具。
【請求項３】
ハチマキ部（２）の両端部を、該両端部に取り付けた面ファスナ（４）により結合位置調節可能に結合するようにした請求項１記載の日焼け防止具。
【請求項４】
覆い部（３）をタオル地で形成した請求項１，２又は３記載の日焼け防止具。
【請求項５】
ハチマキ部（２）をタオル地で形成した請求項４記載の日焼け防止具。
【発明の詳細な説明】
【技術分野】
【０００１】
本発明は、屋外で作業や運動をする者の頭乃至うなじを覆ってその日焼けを防止する日焼け防止具に関するものである。
【背景技術】
【０００２】
従来、次のような頭部のみ又は頭部乃至うなじを覆うものが提案されている。
特許文献１には、三角形の一辺を額に当て、一頂端を背面に垂れ下げて後頭部を覆い、両側辺を後頭部にて交叉せしめ前面に抱廻して両端部を結び合わせる三角ターバンが記載されている。
特許文献２にも、三角形をなす頭部または顔面被覆体が記載されている。
特許文献３には、多角形（長方形）の布地の半円軌道上に穿設した貫通孔に紐を通し、紐を引っ張って布地を頭部の形に整え、布地の日よけ垂れ部を背面部に垂らすキャップが記載されている。
特許文献４には、帽子本体の後頭被覆部に日除兼雨除部を着脱自在にしてなる帽子が記載されている。
【特許文献１】実公昭２６−６５３２号公報
【特許文献２】実開平７−１９３１９号公報
【特許文献３】特開２００４−３３２１８１号公報
【特許文献４】特開２０００−１２９５２３号公報
【発明の開示】
【発明が解決しようとする課題】
【０００３】
しかし、特許文献１のターバンや特許文献２の被覆体では、三角形の一頂端を背面に垂れ下げていたので、うなじがほとんど覆われないで日焼けするという問題や、三角形の両側辺をきれいに引き寄せて結ぶことが難しいという問題がある。
また、特許文献３のキャップでは、布地に穿設した貫通孔の強度を上げるためにミシン孔、金属孔又は樹脂孔にする必要があり、手間とコストがかかるという問題がある。
また、特許文献４の日除兼雨除部では、帽子の存在が前提になるので、頭のサイズにあった帽子を用意しなければならないという問題がある。
【０００４】
本発明の目的は、上記課題を解決し、構造が簡単で低コストに製造することができ、頭のサイズが多少異なってもそれに対応して容易に装着することができ、頭のみならずうなじの全幅を下端まで覆ってその日焼けを防止することができる日焼け防止具を提供することにある。
【課題を解決するための手段】
【０００５】
上記の課題を解決するために、本発明の日焼け防止具は、人の額から頭の左右に回して頭の後で両端部を結合することができるよう頭の外周長さより長く形成されたハチマキ部と、額から頭の上を覆ってさらに頭の後に垂らしたときにうなじの全幅を下端までを覆うことができる長さに一定幅で形成されて、その一端部がハチマキ部の長さ方向中間部に結合された覆い部とにより、Ｔ字状に形成されたことを特徴とする。
【０００６】
ハチマキ部の縦幅は、特に限定されず帯状でも紐状でもよいが、使い易い点で３〜５ｃｍが好ましい。
【０００７】
ハチマキ部の両端部の結合の仕方として、次の態様を例示できる。
（１）ハチマキ部の両端部を、結び合うことにより結合位置調節可能に結合するようにした態様。
この場合、結び目をつくるために、ハチマキ部の長さは、頭の外周長さよりも２０〜４０ｃｍ程度長いことが好ましい。例えば頭の外周長さが５３〜５６ｃｍの場合、ハチマキ部の長さは７３〜９６ｃｍ程度が適当である。
（２）ハチマキ部の両端部を、該両端部に取り付けた面ファスナにより結合位置調節可能に結合するようにした態様。
この場合、面ファスナの雄側と雌側とを結合位置調節可能な長さに形成すれば足り、ハチマキ部は無用に長くない方がよいため、ハチマキ部の長さは、頭の外周長さよりも１０〜２０ｃｍ程度長いことが好ましい。例えば頭の外周長さが５３〜５６ｃｍの場合、ハチマキ部の長さは６３〜７６ｃｍ程度が適当である。
なお、本発明の日焼け防止具をヘルメットのアンダーとして使用する場合には、結びこぶを作らないようにした方が良いことから、この面ファスナの態様は特に好適である。また、ヘルメットのアンダーとして使用する場合、ツバや耳隠しは安全のためにつけない方がよい。
【０００８】
覆い部の横幅は、うなじの全幅が覆われるよう、２８〜３５ｃｍ程度が好ましい。
覆い部の長さは、うなじの下端まですっぽり覆われるよう、４５〜５３ｃｍ程度が好ましい。
【０００９】
覆い部の材料は、特に限定されず、各種の布、樹脂シート等を使用することができるが、吸汗性、好感触、滑り落ちにくさ及び低コストの点でタオル地が好ましい。
ハチマキ部の材料も、特に限定されず、各種の布、樹脂帯等を使用することができるが、吸汗性、好感触、滑り落ちにくさ及び低コストの点でタオル地が好ましい。
【発明の効果】
【００１０】
本発明に係る日焼け防止具によれば、構造が簡単で低コストに製造することができ、頭のサイズが多少異なってもそれに対応して容易に装着することができ、頭のみならずうなじの全幅を下端まで覆ってその日焼けを防止することができるという効果を奏する。
【発明を実施するための最良の形態】
【００１１】
日焼け防止具は、人の額から頭の左右に回して頭の後で両端部を結合することができるよう頭の外周長さより長く形成されたハチマキ部と、額から頭の上を覆ってさらに頭の後に垂らしたときにうなじの全幅を下端までを覆うことができる長さに一定幅で形成されて、その一端部がハチマキ部の長さ方向中間部に結合された覆い部とにより、Ｔ字状に形成されている。ハチマキ部の両端部は、結び合うことにより又は該両端部に取り付けた面ファスナにより、結合位置調節可能に結合するようになっている。
【実施例１】
【００１２】
図１に示す実施例１の日焼け防止具１は、人の額から頭の左右に回して頭の後で両端部を結合することができるよう頭の外周長さより長く形成された帯状のハチマキ部２と、額から頭の上を覆ってさらに頭の後に垂らしたときにうなじの全幅を下端までを覆うことができる長さに一定幅で形成されて、その一端部がハチマキ部２の長さ方向中間部に結合された長方形状の覆い部３とにより、Ｔ字状に形成されている。なお、以下に示す各部の寸法は、頭の外周長さが５３〜５６ｃｍの場合に好ましい寸法の例示であって、これに限定されるものではない。
【００１３】
この実施例１は、ハチマキ部２の両端部を結び合うことにより結合位置調節可能に結合するようにしたものであって、結び目をつくるためにハチマキ部２の長さは８０〜９０ｃｍであり、ハチマキ部２の縦幅は３〜５ｃｍである。また、覆い部３の横幅は、うなじの全幅が覆われるよう２８〜３５ｃｍであり、覆い部３の長さは、うなじの下端まですっぽり覆われるよう４５〜５３ｃｍである。ハチマキ部２と覆い部３はいずれもタオル地で形成されており、両者は縫製で結合されている。
【００１４】
以上のように構成された日焼け防止具１は、構造が簡単で低コストに製造することができる。
【００１５】
この日焼け防止具１を装着して使用するには、図１（ｂ）に示すように、覆い部３を頭の上から後に垂らし、ハチマキ部２の長さ方向中央部を額に当て、ハチマキ部２の左右部を頭の左右に回した後、図１（ｃ）（ｄ）に示すように、頭の後においてハチマキ部２の両端部を覆い部３の外側で結び合って結合させる。こうすれば、頭のみならずうなじの全幅を下端まで覆ってその日焼けを防止することができる。また、ハチマキ部２の長さが頭の外周長さより十分に長く形成されているので、結び目による結合位置を調節可能であり、頭のサイズが多少異なってもそれに対応して容易に装着することができる。また、ハチマキ部２と覆い部３がタオル地で形成されているので、吸汗性に優れ、感触がよく、滑り落ちにくいという利点もある。
【実施例２】
【００１６】
図２に示す実施例２の日焼け防止具１は、ハチマキ部２の両端部を該両端部に取り付けた面ファスナ４により結合位置調節可能に結合するようにしたものであって、ハチマキ部２の長さと、面ファスナ４を取り付けた点においてのみ実施例１と相違しており、その余の共通点については実施例１の説明を援用する。このハチマキ部２の長さは６５〜７５ｃｍであり、その一端には面ファスナ４の一方が、その他端には面ファスナ４の他方が、結合位置調節可能な長さ（例えば長さ４〜８ｃｍ）で取り付けられている。
【００１７】
この日焼け防止具１を装着して使用するには、図１（ｂ）と同様にして、覆い部３を頭の上から後に垂らし、ハチマキ部２の長さ方向中央部を額に当て、ハチマキ部２の左右部を頭の左右に回した後、図２（ｂ）に示すように、頭の後においてハチマキ部２の両端部を覆い部３の外側で面ファスナ４により結合させる。この実施例２によれば、実施例１と同様の効果が得られるほか、結びこぶを作らないため、ヘルメットのアンダーとして使用するのに好適である。
【００１８】
なお、本発明は前記実施形態に限定されるものではなく、発明の趣旨から逸脱しない範囲で適宜変更して具体化することもできる。
【図面の簡単な説明】
【００１９】
【図１】本発明の実施例１の日焼け防止具を示し、（ａ）は正面図、（ｂ）は装着途中の側面図、（ｃ）は装着後の側面図、（ｄ）は装着後の背面図である。
【図２】本発明の実施例２の日焼け防止具を示し、（ａ）は正面図、（ｂ）は装着後の背面図である。
【符号の説明】
【００２０】
１    日焼け防止具
２    ハチマキ部
３    覆い部
４    面ファスナ
【図１】
2010106404.tif 000003
【図２】
2010106404.tif 000004